【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
符号化された符号化ユニット構造と複数の符号化された量子化パラメータとを含む、符号化された最大符号化ユニットをビデオデコーダにおいて受け取ることと、
前記符号化された符号化ユニット構造と前記複数の符号化された量子化パラメータに基づいて前記符号化された最大符号化ユニットをデコードすることと、
を含む方法。
【請求項２】
請求項１に記載の方法であって、
前記符号化された最大符号化ユニットが、前記符号化された符号化ユニット構造により表される複数の符号化ユニットを含み、少なくとも第１の符号化ユニットと第２の符号化ユニットとが異なるサイズである、方法。
【請求項３】
請求項１に記載の方法であって、
前記符号化された最大符号化ユニットをデコードすることが、
シーケンスレベルとピクチャレベルとスライスレベルと最大符号化ユニットレベルとの少なくとも１つで最小量子化パラメータ符号化ユニットサイズを受け取ることと、
前記最小量子化パラメータ符号化ユニットサイズに基づいて前記符号化された最大符号化ユニットをデコードすることと、
を含む、方法。
【請求項４】
請求項１に記載の方法であって、
前記符号化された最大符号化ユニットをデコードすることが、前記符号化ユニットに対応する符号化された量子化パラメータと、符号化順序内で前記符号化ユニットに先行する符号化ユニットのための再構成された量子化パラメータとを加算することによって、前記符号化された最大符号化ユニット内の符号化ユニットのための量子化パラメータを再構成することを含む、方法。
【請求項５】
請求項１に記載の方法であって、
前記符号化された最大符号化ユニットをデコードすることが、前記符号化ユニットに対応する符号化された量子化パラメータと、前記符号化ユニットの左の空間的に隣接する符号化ユニットのための再構成された量子化パラメータとを加算することによって、前記符号化された最大符号化ユニット内の符号化ユニットのための量子化パラメータを再構成することを含む、方法。
【請求項６】
請求項１に記載の方法であって、
前記符号化された最大符号化ユニットをデコードすることが、前記符号化ユニットに対応する符号化された量子化パラメータと、前記符号化ユニットの空間的に隣接する符号化ユニットの１つ又は複数の再構成された量子化パラメータの関数とを加算することによって、前記符号化された最大符号化ユニット内の符号化ユニットのための量子化パラメータを再構成することを含む、方法。
【請求項７】
請求項１に記載の方法であって、
第１の符号化された量子化パラメータを計算するために用いられる第１のモードの符号化されたインジケータを受け取ることと、
前記第１のモードに従って前記第１の符号化された量子化パラメータを再構成することと、
第２の符号化された量子化パラメータを計算するために用いられる第２のモードの符号化されたインジケータを受け取ることと、
前記第２のモードに従って前記第２の符号化された量子化パラメータを再構成することと、
を更に含む、方法。
【請求項８】
ビデオエンコーダにおいて最大符号化ユニットを受け取ることと、
前記最大符号化ユニットのための複数の符号化ユニットを含む符号化ユニット構造を決定することと、
前記最大符号化ユニットのための複数の量子化パラメータを計算することであって、各量子化パラメータと前記符号化ユニット構造内の符号化ユニットとの間に１対１の対応がある、前記計算することと、
圧縮されたビットストリームの一部を生成するために、前記対応する量子化パラメータに基づいて前記複数の符号化ユニット内の符号化ユニットを符号化することと、
前記圧縮されたビットストリームにおいて前記符号化ユニット構造と前記複数の量子化パラメータとを符号化することと、
を含む方法。
【請求項９】
請求項８に記載の方法であって、
少なくとも第１の符号化ユニットと第２の符号化ユニットとが異なるサイズである、方法。
【請求項１０】
請求項８に記載の方法であって、
符号化ユニット構造を決定することが、最小量子化パラメータ符号化ユニットサイズに基づいて前記符号化ユニット構造を決定することを含み、前記最小量子化パラメータ符号化ユニットサイズが、前記符号化ユニット構造内で許容される最小符号化ユニットサイズよりも大きい、方法。
【請求項１１】
請求項１０に記載の方法であって、
シーケンスレベルとピクチャレベルとスライスレベルと最大符号化ユニットレベルとの少なくとも１つで前記最小量子化パラメータ符号化ユニットサイズを前記圧縮されたビットストリーム内で信号送信することを更に含む、方法。
【請求項１２】
請求項８に記載の方法であって、
量子化パラメータが、前記最大量子化ユニット内の符号化ユニットのための量子化パラメータと、符号化順序内で前記符号化ユニットに先行する符号化ユニットのための量子化パラメータとの差として符号化される、方法。
【請求項１３】
請求項８に記載の方法であって、
量子化パラメータが、前記最大符号化ユニット内の符号化ユニットのための量子化パラメータと前記符号化ユニットの左の空間的に隣接する符号化ユニットの１つ又は複数の量子化パラメータとの差として符号化される、方法。
【請求項１４】
請求項８に記載の方法であって、
量子化パラメータが、前記最大符号化ユニット内の符号化ユニットのための量子化パラメータと、前記符号化ユニットの空間的に隣接する符号化ユニットの１つ又は複数の量子化パラメータの関数との間の差として符号化される、方法。
【請求項１５】
請求項８に記載の方法であって、
符号化量子化パラメータのための複数のモードから符号化量子化パラメータのための１つのモードを選択することと、
シーケンスレベルとピクチャレベルとスライスレベルと最大符号化ユニットレベルとの少なくとも１つで前記選択されたモードを前記圧縮されたビットストリーム内で信号送信することと、
を更に含む、方法。
【請求項１６】
ビデオデコーダを含むディジタルシステムであって、
前記ビデオデコーダが、
符号化された符号化ユニット構造と複数の符号化された量子化パラメータとを含む、符号化された最大符号化ユニットを受け取り、
前記符号化された符号化ユニット構造と前記複数の符号化された量子化パラメータとに基づいて前記符号化された最大符号化ユニットをデコードする、
ように構成される、ディジタルシステム。
【請求項１７】
請求項１６に記載のディジタルシステムであって、
前記符号化された最大符号化ユニットが、前記符号化された符号化ユニット構造により表される複数の符号化ユニットを含み、少なくとも第１の符号化ユニットと第２の符号化ユニットとが異なるサイズである、ディジタルシステム。
【請求項１８】
請求項１６に記載のディジタルシステムであって、
前記ビデオデコーダが、
シーケンスレベルとピクチャレベルとスライスレベルと最大符号化ユニットレベルとの少なくとも１つで最小量子化パラメータ符号化ユニットサイズを受け取り、
前記最小量子化パラメータ符号化ユニットサイズに基づいて前記最大符号化ユニットをデコードする、
ように更に構成される、ディジタルシステム。
【請求項１９】
請求項１６に記載のディジタルシステムであって、
前記ビデオデコーダが、前記符号化ユニットに対応する符号化された量子化パラメータを、符号化順序内で前記符号化ユニットに先行する符号化ユニットのための再構成された量子化パラメータと、前記符号化ユニットの左の空間的に隣接する符号化ユニットのための再構成された量子化パラメータと、前記符号化ユニットの空間的に隣接する符号化ユニットの１つ又は複数の再構成された量子化パラメータの関数とからなる群から選択された１つと加算することによって、前記符号化された最大符号化ユニット内の符号化ユニットのための量子化パラメータを再構成することにより、前記符号化された最大符号化ユニットをデコードするように構成される、ディジタルシステム。
【請求項２０】
請求項１６に記載のディジタルシステムであって、
前記ビデオデコーダが、
第１の符号化された量子化パラメータを符号化するために使用される第１のモードの符号化されたインジケータを受け取り、
前記第１のモードに従って前記第１の符号化された量子化パラメータを再構成し、
第２の符号化された量子化パラメータを符号化するために使用される第２のモードの符号化されたインジケータを受け取り、
前記第２のモードに従って前記第２の符号化された量子化パラメータを再構成する、
ように更に構成される、ディジタルシステム。